(57)【要約】【課題】照明器具において、反射板取付金具と器具本体との導通を確実にすると共に、反射板取付金具と器具本体との間にがたつきのない照明器具を提供する。【解決手段】反射板取付金具２０は、舌片２１が角穴１１に挿入され、舌片２２が角穴１１２に挿入された状態で、所定の取り付け位置の（３）スライド方向にスライドされると、舌片２１が角穴１１１の凸部１１１ａとこすれ合いながら移動すると共に、舌片２２が角穴１１２の凸部１１２ａとこすれ合いながら移動することにより所定の取り付け位置において舌片２１が角穴１１１の縁によって銜えられ、かつ、舌片２２が角穴１１２の縁によって銜えられる。この構造により、導通を確実にすると共に、反射板取付金具と器具本体との間にがたつきのない照明器具を提供できる。【選択図】図３
2010244769.tif 000002
【特許請求の範囲】
【請求項１】
長手方向に延びる底面と、前記底面の長手方向に延びる一端から起立すると共に起立方向の上部に第１の角穴が前記長手方向に形成された第１の側板と、前記底面の長手方向に延びる他端から起立すると共に起立方向の上部に第２の角穴が前記長手方向に形成された第２の側板とを有する長尺の器具本体と、
反射板が取り付けられる反射板取付金具であって、前記第１の角穴に挿入される板状の端部である第１の舌片と、前記第２の角穴に挿入される板状の端部である第２の舌片とを有する反射板取付金具と
を備え、
前記反射板取付金具は、
前記第１の舌片が前記第１の角穴に挿入されると共に前記第２の舌片が前記第２の角穴に挿入された状態で所定の取り付け位置の方向である前記器具本体の一方の長手方向にスライドされると、前記第１の舌片が前記第１の角穴を形成する縁の一部とこすれ合いながら移動すると共に前記第２の舌片が前記第２の角穴を形成する縁の一部とこすれ合いながら移動することにより前記所定の取り付け位置において前記第１の舌片が前記第１の角穴の縁によって銜えられ、かつ、前記第２の舌片が前記第２の角穴の縁によって銜えられることを特徴とする照明器具。
【請求項２】
前記第１の舌片は、
前記第１の角穴の縁の一部とこすれ合う凸部を有すると共に、
前記第２の舌片は、
前記第２の角穴の縁の一部とこすれ合う凸部を有する
ことを特徴とする請求項１記載の照明器具。
【請求項３】
前記第１の舌片とこすれ合う前記第１の角穴の縁の一部は、
凸形状に形成され、
前記第２の舌片とこすれ合う前記第２の角穴の縁の一部は、
凸形状に形成されていることを特徴とする請求項１または２のいずれかに記載の照明器具。
【請求項４】
前記第１の角穴の縁は、
前記第１の舌片が前記所定の取付位置までスライドされたときに、前記第１の舌片がスライドされた方向と反対方向への戻りを抑える戻り止めが形成されていると共に、
前記第２の角穴の縁は、
前記第２の舌片が前記所定の取付位置までスライドされたときに、前記第２の舌片がスライドされた方向と反対方向への戻りを抑える戻り止めが形成されていることを特徴とする請求項１〜３のいずれかに記載の照明器具。
【請求項５】
前記反射板は、
所定の穴間ピッチの２つの取付用の穴が形成され、
前記照明器具は、
前記反射板取付金具を２つ備え、
２つの前記反射板取付金具は、
前記反射板を取り付けるための穴が形成されていると共に、前記器具本体におけるそれぞれの前記所定の取り付け位置に取り付けられた状態で、一方の前記反射板取付金具の前記穴と他方の前記反射板取付金具の前記穴との穴間ピッチが前記反射板の穴間ピッチに略一致することを特徴とする請求項１〜４のいずれかに記載の照明器具。
【発明の詳細な説明】
【技術分野】
【０００１】
この発明は、照明器具の器具本体に反射板の取付金具を取り付ける構造に関する。
【背景技術】
【０００２】
従来では、特開２０００−２３１８２０号公報に示すような、器具本体と反射板を取り付ける構造を採用している。特開２０００−２３１８２０号公報では、器具本体端板を内側にたわませ、反射板取付金具の舌片を、器具本体側板に形成された角穴に両側から差し込み取り付ける。反射板は、器具本体に取り付けられた反射板取付金具に着脱自在な係止具にて取り付けられる。
【先行技術文献】
【特許文献】
【０００３】
【特許文献１】特開２０００−２３１８２０号公報
【発明の概要】
【発明が解決しようとする課題】
【０００４】
特開２０００−２３１８２０号公報のような器具本体側板への反射板取付金具の取付構造では、照明器具本体の端板に形成された角穴は、反射板取付金具の舌片が貫通するために、舌片よりも大きいことが必要である。このため、穴と舌片との間に嵌合時に「隙間」が発生することは避けられない。このため反射板取付金具を介して照明器具本体と反射板との導通を目的とする場合、器具本体が塗装品で塗膜がある場合や、角穴抜き部、反射板取付金具に絶縁皮膜などが有る場合は、確実な導通が出来ない。
【０００５】
また、この「隙間」の発生により、係止具で反射板を反射板取付具に取り付けた場合、照明器具本体と反射板取付金具との間で、がたつきを生じるという課題がある。
【０００６】
この発明は、照明器具において、反射板取付金具と器具本体との導通を確実にすると共に、反射板取付金具と器具本体との間にがたつきの発生のない照明器具の提供を目的とする。
【課題を解決するための手段】
【０００７】
この発明の照明器具は、
長手方向に延びる底面と、前記底面の長手方向に延びる一端から起立すると共に起立方向の上部に第１の角穴が前記長手方向に形成された第１の側板と、前記底面の長手方向に延びる他端から起立すると共に起立方向の上部に第２の角穴が前記長手方向に形成された第２の側板とを有する長尺の器具本体と、
反射板が取り付けられる反射板取付金具であって、前記第１の角穴に挿入される板状の端部である第１の舌片と、前記第２の角穴に挿入される板状の端部である第２の舌片とを有する反射板取付金具と
を備え、
前記反射板取付金具は、
前記第１の舌片が前記第１の角穴に挿入されると共に前記第２の舌片が前記第２の角穴に挿入された状態で所定の取り付け位置の方向である前記器具本体の一方の長手方向にスライドされると、前記第１の舌片が前記第１の角穴を形成する縁の一部とこすれ合いながら移動すると共に前記第２の舌片が前記第２の角穴を形成する縁の一部とこすれ合いながら移動することにより前記所定の取り付け位置において前記第１の舌片が前記第１の角穴の縁によって銜えられ、かつ、前記第２の舌片が前記第２の角穴の縁によって銜えられることを特徴とする。
【発明の効果】
【０００８】
この発明の照明器具によって、反射板取付金具と器具本体との導通を確実にすると共に、反射板取付金具と器具本体との間にがたつきの発生はせない照明器具の提供をできる。
【図面の簡単な説明】
【０００９】
【図１】実施の形態１における照明器具１０００の斜視図。
【図２】実施の形態１における照明器具１０００の分解斜視図。
【図３】実施の形態１における器具本体の断面と反射板取付金具との斜視図。
【図４】実施の形態１における反射板取付金具２０の斜視図。
【図５】実施の形態１における器具本体側板の角穴と反射板取付金具２０との側面図。
【図６】実施の形態１における仮止め状態を示す図。
【図７】実施の形態１における取り付け状態を示す図。
【図８】実施の形態１における仮止め状態から取り付け状態への移行を示す図。
【発明を実施するための形態】
【００１０】
実施の形態１．
図１〜図８を参照して実施の形態１の照明器具１０００を説明する。図１は、照明器具１０００の斜視図である。図１に示すように、照明器具１０００は、放電灯４０Ｗの２灯タイプとする。
【００１１】
図２は、照明器具１０００の分解斜視図である。照明器具１０００は、器具本体１０、反射板３０が取り付けられる反射板取付金具２０、反射板３０、反射板取付金具２０に反射板３０を取り付ける反射板係止具４０、及び蛍光ランプ１１０に分解した状態を示している。器具本体１０には、点灯装置１００が組み込まれる。
【００１２】
照明器具１０００は、器具本体１０と反射板取付金具２０とが確実に導通される反射板取付金具２０の器具本体１０への取付構造（後述する）を有することが特徴である。
【００１３】
図２に示すように、器具本体１０には、蛍光ランプ１１０と平行に延びる器具本体側板に、反射板取付金具を取り付ける角穴が１面に２ヶ所形成（例えば角穴１１１、角穴１１１−１）されている。反射板取付金具２０は、角穴１１１、１１２に取り付けられ、反射板取付金具２０−１は、角穴１１１−１、１１２−１に取り付けられる。
【００１４】
（器具本体１０の構造）
図３は、器具本体１０の断面と反射板取付金具２０との斜視図である。器具本体１０は、長手方向に延びる底面１３と、底面１３の長手方向に延びる一端から起立する器具本体側板１１（第１の側板）と、底面１３の長手方向に延びる他端から起立する器具本体側板１２（第１の側板）とを有する。
【００１５】
（角穴の形状）
図３に示すように、器具本体側板１１には、起立方向の上部に角穴１１１（第１の角穴）が長手方向に形成されている。また、器具本体側板１２には、起立方向の上部に角穴１１２（第２の角穴）が長手方向に形成されている。
【００１６】
（角穴側凸部）
角穴１１１の縁の一部には、凸形状に凸部１１１ａが形成されている。同様に、角穴１１２の縁の一部にも、凸形状に凸部１１２ａが形成されている。後述のように、凸部１１１ａ、凸部１１２ａは、反射板取付金具２０が取り付け位置の方向にスライドされたときに、反射板取付金具２０の凸部２１１、２２１とこすれ合う。具体的には、凸部１１１ａは凸部２１１とこすれ合い、凸部１１２ａは凸部２２１とこすれ合う。
【００１７】
（戻り止め）
また、角穴１１１の縁には、舌片２１が取付位置までスライドされたときに、舌片２１がスライドされた方向と反対方向への戻りを抑える戻り止め１１１ｂが形成されている。同様に、角穴１１２の縁には、舌片２２が取付位置までスライドされたときに、舌片２２がスライドされた方向と反対方向への戻りを抑える戻り止め１１２ｂが形成されている。
【００１８】
（反射板取付金具２０の構造）
図４は、角穴１１１、１１２に取り付けられる反射板取付金具２０の斜視図である。反射板取付金具２０−１は反射板取付金具２０と同様の構成なので、反射板取付金具２０について説明する。反射板取付金具２０は、角穴１１１（第１の角穴）に挿入される板状の端部である舌片２１（第１の舌片）と、角穴１１２（第２の角穴）に挿入される板状の端部である舌片２２（第２の舌片）とを有する。また、舌片２１は、後述するように、角穴１１１の縁の一部とこすれ合う凸部２１１を有する。また、舌片２２は、角穴１１２の縁の一部とこすれ合う凸部２２１を有する。
【００１９】
図５には、器具本体側板１１の角穴１１１と反射板取付金具２０との側面図を示した。
【００２０】
（反射板取付金具２０の取付過程）
次に、図３及び図６〜図８を参照して、器具本体１０への反射板取付金具２０の取り付け過程を説明する。
図６は、角穴１１１の仮止め位置における反射板取付金具２０の断面ＡＡ（図４）の位置を示した図である。
図７は、角穴１１１の取り付け位置における反射板取付金具２０の断面ＡＡ（図４）の位置を示した図である。
図８は、角穴１１１において反射板取付金具２０が仮止め位置にある状態から、スライドされて取り付け位置まで移動する過程を反射板取付金具２０の断面ＡＡ（図４）で示した図である。
【００２１】
（１）まず、図３の（１）に示すように、器具本体１０の器具本体側板１１と器具本体側板１２とを矢印方向にすぼめる（矢印方向に倒す）。
（２）次に、反射板取付金具２０を角穴１１１、角穴１１２に仮止めする。すなわち、図３において、反射板取付金具２０の舌片２１を外側から角穴１１１に挿入し、また、舌片２２を外側から角穴１１２に挿入して、仮止めする。図６に仮止め状態における反射板取付金具２０の断面ＡＡを示した。これは図８（ａ）の状態である。仮止めされた状態では、反射板取付金具２０は、器具本体１０との導通はされていない。次の（３）で器具本体１０の長手方向に反射板取付金具２０をスライドする事により、強制的に導通する。
（３）仮止め後、仮止め位置から図３の「（３）スライド」のように反射板取付金具２０をスライドさせると（図８（ｂ）、（ｃ）が対応）、図７（図８（ｄ）が対応）に示すように、角穴１１１の戻り止め１１１ｂに反射板取付金具２０の舌片２１の終端部２１２が入る（当接する）。舌片２２と角穴１１２とについても同様である。スライド時には、角穴１１１の縁に設けられた凸部１１１ａと舌片２１の凸部２１１とが嵌合し、導通する。すなわち、図６に示すように、導通の手段として、角穴１１１（角穴１１２についても同様）の舌片２１の取り付け位置に相当する部分における舌片２１の厚みに対応する寸法Ａ２を、舌片２１（角穴１１２では舌片２２）の厚Ａ１みよりも一部分狭くする（Ａ２＜Ａ１）。このとき角穴１１１の寸法の狭い部分は山形の頂点形状であるのが望ましい。なお、この頂点形状は、先端部が角形状でも、Ｒ形状でも良い。
【００２２】
このような寸法関係にすることで、図８（ｂ）、（ｃ）に示すように、反射板取付金具２０は、仮止めされた状態から取り付け位置の方向である器具本体１０の長手方向にスライドされると、舌片２１の凸部２１１が角穴１１１を形成する縁の一部に形成された凸部１１１ａとこすれ合いながら移動する。同じように、舌片２２の凸部２２１が前記第２の角穴１１２を形成する縁の一部に形成された凸部１１２ａとこすれ合いながら移動する。反射板取付金具２０は、このようにスライドされることで、舌片２１が角穴１１１の縁によって銜えられて嵌合し、舌片２２が角穴１１２の縁によって銜えられて嵌合する。
【００２３】
このように、反射板取付金具２０の舌片２１，２２は、角穴１１１、角穴１１２とこすれ合うため、器具本体が塗装品で塗膜がある場合や、角穴、反射板取付金具に絶縁皮膜などが有る場合でも、塗膜や皮膜をはがすことにより確実な導通を得ることができる。
【００２４】
また、図２に示したように、反射板３０は、２個の反射板係止具４０（例えば、ネジ）で反射板取付金具に取り付けられる。反射板３０は、それぞれの反射板係止具４０のネジ部が貫通する穴３１，３２があいている。また、反射板取付金具２０、２０−１には、例えば図４に示すように、反射板係止具４０のネジ部の貫通する穴２３が形成されている。以上の構成において反射板３０を取り付ける場合、反射板取付金具２０、２０−１がこれらの「取り付け位置」（図７の嵌合位置）にある場合にのみ、反射板３０の穴間ピッチＰ１に、射板取付金具２０の穴と、反射板取付金具２０−１の穴との穴間ピッチＰ２が略一致する。つまり、反射板取付金具と器具本体１０とが導通可能な状態でのみ、反射板３０の穴間ピッチＰ１に、２つの反射板取付金具との穴間ピッチＰ２が合う。このため、反射板３０を取り付けできるときは、反射板取付金具と器具本体とがすでに導通可能な状態となっている。また、反射板取付金具２０、２０−１が「取り付け位置」にある場合は、がたのない状態であるので、反射板３０と器具本体とのがたをなくすことができる。
【００２５】
以上のように実施の形態１の照明器具１０００は、まず反射板取付金具を器具本体側板の角穴（嵌合時隙間のある部分）に仮取付けしたあとに、器具本体長手側に、スライドし取り付け位置に取り付ける構造である。取り付け位置には反射板取付金具（舌片）との隙間を無くす構造が形成されている。このため、スライドさせることで、器具本体と反射板取付金具とは確実に接触し導通ができる。また、仮止め状態では反射板を取付けようとしても取り付けピッチ（穴間ピッチ）があわないので、導通無しでの反射板の取り付けは起こらないという利点もある。さらに、この構造により、器具本体と反射板取付金具とは隙間無く密着するため、反射板を反射板係止具により取り付けた場合でも、がたつきを生じない効果がある。
【符号の説明】
【００２６】
１０  器具本体、１１，１２  器具本体側板、１３  底面、１１１，１１２  角穴、１１１ａ，１１２ａ  凸部、１１１ｂ，１１２ｂ  戻り止め、２０  反射板取付金具、２１，２２  舌片、２３  穴、２１１，２２１  凸部、２１２  終端部、３０  反射板、３１，３２  穴、４０  反射板係止具、１０００  照明器具、１１０  蛍光ランプ。
【図１】
2010244769.tif 000003
【図２】
2010244769.tif 000004
【図３】
2010244769.tif 000005
【図４】
2010244769.tif 000006
【図５】
2010244769.tif 000007
【図６】
2010244769.tif 000008
【図７】
2010244769.tif 000009
【図８】
2010244769.tif 000010